(57)【要約】  【課題】入金返却硬貨や出金硬貨、入金時や精査時のリジェクト硬貨を迅速に放出でき、これら硬貨を２人のテラーが迅速に受け取れる循環式硬貨入出金装置12を提供する。  【解決手段】機体11の幅方向に種類別硬貨収納投出部61を並設し、種類別硬貨収納投出部61の前部域に沿って搬送コンベヤ91を設ける。機体11の前面の幅方向中央域に、カルトン17を配置するカルトン挿入部16を設ける。搬送コンベヤ91の上部域に放出切換手段96を開閉可能に設ける。精査時および回収時に、放出切換手段96で搬送コンベヤ91の上部を開放し、種類別硬貨収納投出部61から投出する精査硬貨および回収硬貨を搬送コンベヤ91上に放出させる。入金返却時および出金時に、放出切換手段96で搬送コンベヤ91の上部域を閉鎖し、種類別一時保留部74から返却する入金返却硬貨および種類別硬貨収納投出部61から投出する出金硬貨をカルトン挿入部16のカルトン17に放出する。  【選択図】図１
2006065522.tif 000002
【特許請求の範囲】
【請求項１】
機体の上部域で幅方向の略中央域に設けられ、硬貨を貯留するとともに機体の幅方向一側に向けて硬貨を１層１列状態で繰り出す硬貨貯留繰出部と、
この硬貨貯留繰出部から１層１列状態で繰り出される硬貨を機体の幅方向一側に向けて搬送する第１通路域、この第１通路域端から送られてくる硬貨を機体の幅方向一側近傍に沿って背部方向に向けて送る第２通路域、この第２通路域端から機体の幅方向他側に向けて硬貨を送る第３通路域を有する硬貨通路であって、第１通路域から第２通路域に至る通路域に硬貨を識別する識別部およびこの識別部に基づきリジェクト硬貨と判断された硬貨を分岐するリジェクト硬貨分岐部が設けられ、第３通路域に入金正規硬貨を分岐する複数の種類別硬貨分岐部が設けられた硬貨通路と、
この硬貨通路の種類別硬貨分岐部で分岐される入金正規硬貨を一時保留する種類別一時保留部と、
前記機体の幅方向に複数並設され、前記種類別一時保留部の硬貨を入金承認時に種類別に受け入れて収納するとともに、出金時に種類別に収納されている硬貨を投出する種類別硬貨収納投出部と、
この種類別硬貨収納投出部の前部域に沿って機体の幅方向に張設され、精査時および回収時に前記種類別硬貨収納投出部から投出される硬貨を受収するとともにこれら硬貨を張設方向一端に向けて搬送する搬送コンベヤと、
精査時に前記搬送コンベヤ上の硬貨を前記硬貨貯留繰出部に送る還流搬送部と、
前記機体の幅方向の少なくとも一側域に設けられ、回収時に前記搬送コンベヤ上の硬貨を受収するカセットと、
精査時および回収時に前記搬送コンベヤから送られてくる硬貨を前記還流搬送部側および前記カセット側のいずれか一方に搬送切換する搬送切換部と、
前記搬送コンベヤの前側域であって前記機体の前面の幅方向中央域に形成され、入金非承認時の入金返却硬貨、出金時の出金硬貨、入金時および精査時のリジェクト硬貨を受収するカルトンが挿脱可能に挿入されるカルトン挿入部と、
前記搬送コンベヤの上部域に開閉可能に設けられ、精査時および回収時には搬送コンベヤの上部を開放して前記種類別硬貨収納投出部から投出される硬貨を搬送コンベヤ上に放出させ、入金返却時および出金時には搬送コンベヤの上部域を閉鎖して前記種類別一時保留部から返却される入金返却硬貨および前記種類別硬貨収納投出部から投出される硬貨をカルトン挿入部のカルトンに放出させる放出切換手段と、
入金時および精査時に前記リジェクト硬貨分岐部で分岐されたリジェクト硬貨をカルトン挿入部のカルトン側へ搬送するリジェクト硬貨搬送手段と
を具備していることを特徴とする循環式硬貨入出金装置。
【請求項２】
種類別硬貨収納投出部は、
種類別硬貨分岐部から放出される硬貨を上面に貯留可能に張設されるベルト部材と、
このベルト部材を張設方向に沿った一方および他方のいずれの方向にも駆動可能とするベルト部材駆動手段と、
前記ベルト部材の上方に配置され、ベルト部材の上方空間を張設方向に分割して種類別硬貨分岐部で分岐される硬貨を受け入れる保留空間および収納空間を形成する仕切位置と保留空間および収納空間を連通させる連通位置との間を移動可能とする仕切部材と、
この仕切部材を仕切位置および連通位置に移動させる仕切部材駆動手段と、
前記保留空間の収納空間とは反対側に形成され、前記ベルト部材で送られる硬貨の通過を１枚ずつに規制するゲート部とを有し、
この種類別硬貨収納投出部に種類別一時保留部の機能を持たせたことを特徴とする請求項１記載の循環式硬貨入出金装置。
【発明の詳細な説明】
【技術分野】
【０００１】
本発明は、入金硬貨を出金硬貨に循環使用する循環式硬貨入出金装置に関する。
【背景技術】
【０００２】
従来、この種の循環式硬貨入出金機においては、機体の上部域で幅方向の略中央域に、硬貨を貯留するとともに機体の幅方向一側に向けて硬貨を１層１列状態で繰り出す硬貨貯留繰出部を設けている。この硬貨貯留繰出部から１層１列状態で繰り出される硬貨を機体の幅方向一側に向けて搬送する第１通路域、この第１通路域端から送られてくる硬貨を機体の幅方向一側近傍に沿って背部方向に向けて送る第２通路域、この第２通路域端から機体の幅方向他側に向けて硬貨を送る第３通路域を有する硬貨通路であって、第１通路域から第２通路域に至る通路域に硬貨を識別する識別部およびこの識別部に基づきリジェクト硬貨と判断された硬貨を分岐するリジェクト硬貨分岐部を有し、第３通路域に入金正規硬貨を分岐する複数の種類別硬貨分岐部を有する硬貨通路を設けている。この硬貨通路の種類別硬貨分岐部で分岐される入金正規硬貨を一時保留する種類別一時保留部を設けている。機体の幅方向に複数並設され、種類別一時保留部の硬貨を入金承認時に種類別に受け入れて収納するとともに、出金時に種類別に収納されている硬貨を投出する種類別硬貨収納投出部を設けている。この種類別硬貨収納投出部の前部域に沿って機体の幅方向に張設され、入金承認時に種類別一時保留部から返却される入金返却硬貨、出金時の種類別硬貨収納投出部から投出される出金硬貨、精査時の精査硬貨、回収時の回収硬貨を受収し、これら硬貨を機体の幅方向の一側および他側のいずれの方向にも搬送可能とする搬送コンベヤを設けている。この搬送コンベヤの幅方向の一端側および他端側に、入金不承認時または出金時に搬送コンベヤを通じて入金返却硬貨または出金硬貨が送り込まれる一側出金部および他側出金部を設けている。入金時および精査時にリジェクト硬貨分岐部で分岐されたリジェクト硬貨を搬送コンベヤ側または他側出金部側に切換搬送するリジェクト硬貨切換搬送手段を設けている。精査時に搬送コンベヤの一端側から送り出される硬貨を硬貨貯留繰出部に送る還流搬送部を設けている。回収時に搬送コンベヤの一端側からか送り出される硬貨を収受するカセットを設けている。入金不承認時、出金時、精査時、回収時に、搬送コンベヤの一端側から送り出される硬貨を一側出金部側、還流搬送部側、カセット側のいずれかに搬送切換する搬送切換部を設けている。
【０００３】
このような構成の循環式硬貨入出金機では、硬貨貯留繰出部から繰り出す硬貨を硬貨通路で略水平方向に搬送しながら識別および分岐するようにし、さらに、機体の幅方向に複数の種類別硬貨収納投出部を並設し、これら種類別硬貨収納投出部の前方で機体の幅方向に搬送コンベヤを設置し、この搬送コンベヤの両端側に一側出金部および他側出金部を設けたので、高さを低く抑えられて小形になり、２人のテラー間に設置してどちらのテラーからでも容易に使用できる機械としている（例えば、特許文献１参照。）。
【特許文献１】特開２００１−１０１４７５号公報（第３−４頁、第６−９頁、図１−７）
【発明の開示】
【発明が解決しようとする課題】
【０００４】
しかしながら、従来の循環式硬貨入出金機では、入金返却硬貨や出金硬貨を搬送コンベヤを通じて一側出金部または他側出金部に送るため、テラーが硬貨を受け取るまでに時間がかかる問題がある。また、入金時や精査時のリジェクト硬貨についても一側出金部または他側出金部に送るが、一側出金部に送り出すときには搬送コンベヤを経由するので、テラーが硬貨を受け取るまでに時間がかかる問題がある。
【０００５】
本発明は、このような点に鑑みなされたもので、２人のテラー間に設置してどちらのテラーからでも容易に使用できるとともに高さが低く抑えられて小形にできる構成でありながら、入金返却硬貨や出金硬貨、さらには入金時や精査時のリジェクト硬貨を迅速に放出できるようにして、２人のテラーがこうした硬貨を迅速に受け取ることができる循環式硬貨入出金装置を提供することを目的とする。
【課題を解決するための手段】
【０００６】
請求項１記載の循環式硬貨入出金装置は、機体の上部域で幅方向の略中央域に設けられ、硬貨を貯留するとともに機体の幅方向一側に向けて硬貨を１層１列状態で繰り出す硬貨貯留繰出部と、この硬貨貯留繰出部から１層１列状態で繰り出される硬貨を機体の幅方向一側に向けて搬送する第１通路域、この第１通路域端から送られてくる硬貨を機体の幅方向一側近傍に沿って背部方向に向けて送る第２通路域、この第２通路域端から機体の幅方向他側に向けて硬貨を送る第３通路域を有する硬貨通路であって、第１通路域から第２通路域に至る通路域に硬貨を識別する識別部およびこの識別部に基づきリジェクト硬貨と判断された硬貨を分岐するリジェクト硬貨分岐部が設けられ、第３通路域に入金正規硬貨を分岐する複数の種類別硬貨分岐部が設けられた硬貨通路と、この硬貨通路の種類別硬貨分岐部で分岐される入金正規硬貨を一時保留する種類別一時保留部と、前記機体の幅方向に複数並設され、前記種類別一時保留部の硬貨を入金承認時に種類別に受け入れて収納するとともに、出金時に種類別に収納されている硬貨を投出する種類別硬貨収納投出部と、この種類別硬貨収納投出部の前部域に沿って機体の幅方向に張設され、精査時および回収時に前記種類別硬貨収納投出部から投出される硬貨を受収するとともにこれら硬貨を張設方向一端に向けて搬送する搬送コンベヤと、精査時に前記搬送コンベヤ上の硬貨を前記硬貨貯留繰出部に送る還流搬送部と、前記機体の幅方向の少なくとも一側域に設けられ、回収時に前記搬送コンベヤ上の硬貨を受収するカセットと、精査時および回収時に前記搬送コンベヤから送られてくる硬貨を前記還流搬送部側および前記カセット側のいずれか一方に搬送切換する搬送切換部と、前記搬送コンベヤの前側域であって前記機体の前面の幅方向中央域に形成され、入金非承認時の入金返却硬貨、出金時の出金硬貨、入金時および精査時のリジェクト硬貨を受収するカルトンが挿脱可能に挿入されるカルトン挿入部と、前記搬送コンベヤの上部域に開閉可能に設けられ、精査時および回収時には搬送コンベヤの上部を開放して前記種類別硬貨収納投出部から投出される硬貨を搬送コンベヤ上に放出させ、入金返却時および出金時には搬送コンベヤの上部域を閉鎖して前記種類別一時保留部から返却される入金返却硬貨および前記種類別硬貨収納投出部から投出される硬貨をカルトン挿入部のカルトンに放出させる放出切換手段と、入金時および精査時に前記リジェクト硬貨分岐部で分岐されたリジェクト硬貨をカルトン挿入部のカルトン側へ搬送するリジェクト硬貨搬送手段とを具備しているものである。
【０００７】
そして、２人のテラー間に設置してどちらのテラーからでも容易に使用できるとともに高さが低く抑えられて小形にできる構成でありながら、機体の前面の幅方向中央のカルトン挿入部に挿入されたカルトンに対して、入金返却硬貨や出金硬貨、さらには入金時や精査時のリジェクト硬貨が放出切換手段やリジェクト硬貨搬送手段によって迅速に放出され、２人のテラーはカルトンに放出されるこうした硬貨を迅速に受け取れる。
【０００８】
請求項２記載の循環式硬貨入出金装置は、請求項１記載の循環式硬貨入出金装置において、種類別硬貨収納投出部は、種類別硬貨分岐部から放出される硬貨を上面に貯留可能に張設されるベルト部材と、このベルト部材を張設方向に沿った一方および他方のいずれの方向にも駆動可能とするベルト部材駆動手段と、前記ベルト部材の上方に配置され、ベルト部材の上方空間を張設方向に分割して種類別硬貨分岐部で分岐される硬貨を受け入れる保留空間および収納空間を形成する仕切位置と保留空間および収納空間を連通させる連通位置との間を移動可能とする仕切部材と、この仕切部材を仕切位置および連通位置に移動させる仕切部材駆動手段と、前記保留空間の収納空間とは反対側に形成され、前記ベルト部材で送られる硬貨の通過を１枚ずつに規制するゲート部とを有し、この種類別硬貨収納投出部に種類別一時保留部の機能を持たせたものである。
【０００９】
そして、種類別硬貨収納投出部のベルト部材上に硬貨を一時保留可能とする保留空間を形成し、種類別硬貨収納投出部に種類別一時保留部の機能を持たせたので、これら種類別硬貨収納投出部と種類別一時保留部とを合せた高さが低くなる。
【発明の効果】
【００１０】
請求項１記載の循環式硬貨入出金装置によれば、２人のテラー間に設置してどちらのテラーからでも容易に使用できるとともに高さが低く抑えられて小形にできる構成でありながら、機体の前面の幅方向中央のカルトン挿入部に挿入されたカルトンに対して、入金返却硬貨や出金硬貨、さらには入金時や精査時のリジェクト硬貨を放出切換手段やリジェクト硬貨搬送手段によって迅速に放出できるようにしたので、２人のテラーはカルトンに放出されるこうした硬貨を迅速に受け取ることができる。
【００１１】
請求項２記載の循環式硬貨入出金装置によれば、請求項１記載の循環式硬貨入出金装置の効果に加えて、種類別硬貨収納投出部のベルト部材上に硬貨を一時保留可能とする保留空間を形成し、種類別硬貨収納投出部に種類別一時保留部の機能を持たせたので、これら種類別硬貨収納投出部と種類別一時保留部とを合せた高さを低くできる。
【発明を実施するための最良の形態】
【００１２】
以下、本発明の一実施の形態を図面を参照して説明する。
【００１３】
図８に貨幣処理機を示し、この貨幣処理機は、機体11の上部側に配設される循環式硬貨入出金装置12と、下部側に配置される図示しない循環式紙幣入出金装置とを備えており、金融機関の窓口などにおいて２人のテラー間に設置されるとともに、各テラーによって操作される２台の端末機に接続されて、両テラーによって共用される。なお、機体11の幅方向（正面から見て左右方向）の一側を左側、他側を右側として説明する。
【００１４】
機体11は、縦型で、機体11の幅方向の寸法が小さく、前後方向に長く構成されている。機体11の上面前側の幅方向の略中央域に硬貨入金口13が配設され、この硬貨入金口13の前側に紙幣入金口14が配設され、この紙幣入金口14の下側に紙幣出金口15が配設され、この紙幣出金口15の下側に硬貨出金口としてのカルトン挿入部16が配設されている。カルトン挿入部16には、機体11内から放出される硬貨を受収する角形のカルトン17が着脱可能に配置されている。
【００１５】
機体11の上面でかつ硬貨入金口13および紙幣入金口14の両側には、複数の操作キーや液晶表示部などが配置される一側操作部としての左側操作部18および他側搬送部としての右側操作部19が配設されている。
【００１６】
機体11の前面下部域には前面扉21が開閉可能に配設され、この前面扉21には機体11に対して閉鎖状態で施錠、解錠される扉キー22が配設されている。
【００１７】
また、機体11は、主として循環式硬貨入出金装置12が配設される上部ユニット23および主として循環式紙幣入出金装置が配設される下部ユニット24を有し（図２ないし図４参照）、これら上部ユニット23および下部ユニット24は機体11に対してそれぞれ前方へ引出移動可能に構成されている。
【００１８】
次に、図１ないし図４において、循環式硬貨入出金装置12の構成を示す。
【００１９】
循環式硬貨入出金装置12は、機体11の上部域で幅方向の略中央域であって硬貨入金口13の下方に配設される硬貨貯留繰出部31を有し、この硬貨貯留繰出部31の上方には、硬貨入金口13が形成された硬貨入金口枠32が配設され、この硬貨入金口枠32の下面に硬貨入金口シャッタ33が開閉可能に配設されている。
【００２０】
硬貨貯留繰出部31は、硬貨貯留繰出部枠34を有し、この硬貨貯留繰出部枠34の底部には、左側方向へ上昇傾斜して硬貨を左側方向へ繰り出す繰出ベルト35が張設されているとともに、この繰出ベルト35の繰出方向の上方に硬貨を厚み方向に１層（１枚）に規制する逆転ローラ36が配置され、したがって、硬貨貯留繰出部31からは硬貨が１層１列状態で繰り出される。なお、硬貨貯留繰出部31には硬貨の有無を検知する図示しない有無検知センサが配置されている。
【００２１】
また、硬貨貯留繰出部31の繰出ベルト35の繰出方向の端部に連続して略水平方向に硬貨を搬送する硬貨通路41が形成され、この硬貨通路41は、繰出ベルト35から連続して左側方向に向けて形成される第１通路域42、この第１通路域42の左端から機体11の左側に沿って背部方向へ向けて形成される第２通路域43、およびこの第２通路域43の後端から右側方向に向けて形成される第３通路域44を有している。これら各通路域42〜44は、硬貨を載せる底板45上に形成され、底板45の上方には硬貨を各通路域42，44に沿って搬送する搬送手段としての搬送ベルト46〜48が張設されている。
【００２２】
第１通路域42には、搬送される硬貨の真偽や金種を識別する識別部49が配置されている。
【００２３】
第２通路域43には、識別部49の検知に基づきリジェクト硬貨を分岐するリジェクト硬貨分岐部50が配設されている。このリジェクト硬貨分岐部50は、底板45に形成された分岐孔51を有し、図７に示すように、この分岐孔51には分岐板52が配置され、この分岐板52がソレノイド53によって硬貨の通過を許容する閉鎖位置とリジェクト硬貨を分岐孔51内へ強制的に案内する開放位置とに移動される。
【００２４】
第３通路域44には、硬貨を種類別に分岐する複数の種類別硬貨分岐部54が配設されており、これら種類別硬貨分岐部54は、上流側（左側）から順に、オーバーフロー硬貨用、５円硬貨用、１円硬貨用、５０円硬貨用、１００円硬貨用、１０円硬貨用、５００円硬貨用として構成され、底板45に形成された分岐孔55を有している。オーバーフロー硬貨用および５円硬貨用の種類別硬貨分岐部54は、強制的に硬貨を分岐するもので、分岐孔55に配置される分岐板56を有し（図６参照）、この分岐板56が図示しないソレノイドによって硬貨の通過を許容する閉鎖位置と硬貨を分岐孔55内へ強制的に案内する開放位置とに移動される。１円硬貨用、５０円硬貨用、１００円硬貨用、１０円硬貨用、５００円硬貨用の種類別硬貨分岐部54は、硬貨の径寸法に応じて小径硬貨から大形硬貨の順に形状分岐するように構成されている。なお、この実施の形態の複数の種類別硬貨分岐部54は、１つのオーバーフロー硬貨分岐部と複数の金種別硬貨分岐部とで構成され、オーバーフロー硬貨分岐部として構成される種類別硬貨分岐部54については符号54aを付して説明する。
【００２５】
また、第３通路域44の下方には、硬貨を種類別に収納するとともに投出可能とする複数の種類別硬貨収納投出部61が機体11の幅方向に並設されており、これら種類別硬貨収納投出部61は、種類別硬貨分岐部54に対応して、左側から順に、オーバーフロー硬貨用、５円硬貨用、１円硬貨用、５０円硬貨用、１００円硬貨用、１０円硬貨用、５００円硬貨用として構成されている。なお、この実施の形態の複数の種類別硬貨収納投出部61は、１つのオーバーフロー硬貨収納投出部と複数の金種別硬貨収納投出部とで構成され、オーバーフロー硬貨収納投出部として構成される種類別硬貨収納投出部61については符号61aを付して説明する。
【００２６】
各種類別硬貨収納投出部61は、図５および図６に示すように、左右両側面および背面を構成する枠体62をそれぞれ有し、この枠体62の底部に、平ベルトにて構成されるベルト部材としての収納投出ベルト63がそれぞれ前後方向に沿って後ろ下がり状態に張設されている。これら各収納投出ベルト63は前後のプーリ64，65に巻回されて張設され、前側の各プーリ64は各種類別硬貨収納投出部61毎に独立して駆動される駆動軸66に固着され、後側の各プーリ65は１本の連結軸67に回転自在に支持されている。駆動軸66は、ベルト部材駆動手段68によって、図５中の時計回り方向に対応した収納方向と、反時計回り方向に対応した投出方向とに駆動される。ベルト部材駆動手段68は、モータ69を有し、このモータ69の駆動力が複数のギヤ70を介して駆動軸66に伝達される。収納投出ベルト63の上方に臨むベルト部位の下側には、収納投出ベルト63を支えるベルト支持板71が配設され、このベルト支持板71の下側に収納投出ベルト63上の硬貨（図５中には硬貨を符合Ｃで示すが、以下省略する）の有無を検知する硬貨検知基板72が配設されている。
【００２７】
オーバーフロー硬貨用の種類別硬貨収納投出部61aを除く各種類別硬貨収納投出部61の収納投出ベルト63の上方であって前寄り約３分の１程度の位置に仕切部材73がそれぞれ配置され、これら各仕切部材73の前側に種類別一時保留部74の保留空間が、後側に硬貨収納部75の収納空間がそれぞれ形成されている。各仕切部材73は、一端が１本の駆動軸76に固着され、この駆動軸76を中心として、下方に垂下されて種類別一時保留部74の保留空間と硬貨収納部75の収納空間とを仕切る仕切位置と、他端が後方へ持ち上げられて種類別一時保留部74と硬貨収納部75とを連通する連通位置（開放位置）との間を揺動可能に支持され、駆動軸76の一端に連結される仕切部材駆動手段としてのソレノイド（図９に示すソレノイド214）によって一括して揺動されるように構成されている。
【００２８】
硬貨収納部75の下方で、収納投出ベルト63の下側には、ベルト支持板71および硬貨検知基板72に形成された開口部分を通じて収納投出ベルト63の下面に当接される攪拌カム77がそれぞれ配置されている。これら各攪拌カム77は、１本の駆動軸78に取り付けられており、駆動軸78の一端に連結される図示しない攪拌カム駆動手段によって収納投出ベルト63の回転と同時に一括して回転駆動されて、収納投出ベルト63を上下動させることにより、硬貨収納部75内の硬貨の整列（層状に並んでしまうこと）を崩すように構成されている。
【００２９】
各種類別一時保留部74の上方には、第３通路域44の種類別硬貨分岐部54がそれぞれ位置されており、種類別硬貨分岐部54から分岐されて落下してくる硬貨が各受収口74aから各種類別一時保留部74内に受け入れられる。各種類別一時保留部74の前方には硬貨投出口79がそれぞれ形成され、これら各硬貨投出口79には収納投出ベルト63の上面に対向してゲート部としての逆転ローラ80がそれぞれ配置され、この逆転ローラ80により収納投出ベルト63によって前方へ搬送される硬貨が１層（１枚）に規制される。したがって、各種類別硬貨収納投出部61からは、硬貨が逆転ローラ80の下側を通じて１層１列状態で繰り出される。逆転ローラ80はベルト部材駆動手段68のギヤ70などの駆動伝達経路を通じて駆動伝達され、収納投出ベルト63が投出方向へ回転されるときに逆転ローラ80が逆転されるようになっている。但し、駆動伝達経路中にはワンウェイクラッチが配置されており、収納投出ベルト63が収納方向へ回転される際には、逆転ローラ80は駆動されない。
【００３０】
そして、収納投出ベルト63の下側に配置される硬貨検知基板72は、硬貨収納部75の領域A1、種類別一時保留部の後側の領域A2、および逆転ローラ80の下側の領域A3の３つの領域について、硬貨の有無をそれぞれ検知するように構成されている。硬貨検知基板72は、例えば、一次コイルおよび二次コイルを平面状に配置し、一次コイルに定電流信号を与えて、硬貨がある場合とない場合とで二次コイルに発生する検出信号が変化することに応じて硬貨の有無を検知する金属センサを備えている。
【００３１】
各収納投出ベルト63の前方には、硬貨投出口79を通過した硬貨が前方へ搬送される硬貨投出路81が形成され、この硬貨投出路81の上方に硬貨を硬貨投出路81の底面に押さえ付けながら投出方向に搬送する複数のローラ82がそれぞれ配置されている。これらローラ82は、前側に１つ、後側に２つで、前側と後側とで左右に位置がずれて配置されており、図示しないローラ駆動手段によって投出方向に回転駆動される。硬貨投出路81の両側には硬貨の縁部を案内するガイド板83が配設され、これらガイド板83に２つのセンサ84，85が投出方向に並んで配列されている。これらセンサ84，85は、投光器と受光器とを対とする投受光式光センサで、２つのセンサ84，85を硬貨が通過する際に硬貨径を検知して金種を確認するとともに投出枚数をカウントするように構成されている。なお、硬貨投出路81には、硬貨の投出を停止させる図示しないストッパ手段が配設されている。
【００３２】
そして、各種類別硬貨収納投出部61の幅Ｗは、硬貨種類に関係なく同一に形成され、各種類の硬貨の収納に共用されている。そのため、各種類別硬貨収納投出部61に収納する金種などの変更に対して容易に対応できるように構成されている。
【００３３】
また、図１ないし図４に示すように、種類別硬貨収納投出部61の前方域に沿って、機体11の幅方向に搬送コンベヤ91が張設されている。この搬送コンベヤ91は、幅方向両端部のプーリ92間に搬送ベルト93を張設したベルトコンベヤにて構成され、図示しない搬送コンベヤ駆動手段によって張設方向一端であって機体11の幅方向の右側に向けて搬送可能としている。なお、搬送ベルト93の上方に臨むベルト部位の下側には、図示していないが、搬送ベルト93を支えるベルト支持板が配設されているとともに、このベルト支持板の下側に搬送ベルト93上の硬貨の有無を検知する硬貨検知基板（硬貨検知基板72と同様の構成）が配設されている。
【００３４】
図７に示すように、搬送コンベヤ91は種類別硬貨収納投出部61から硬貨を投出する硬貨投出路81より低い位置に設置され、この搬送コンベヤ91上のベルト幅方向の一側である背面側は種類別硬貨収納投出部61の前面で構成されるガイド面95で形成されている。
【００３５】
搬送コンベヤ91上のベルト幅方向の他側である前面側は、放出切換手段96の開放位置に位置する放出切換板97によって構成されている。この放出切換板97は、全ての種類別硬貨収納投出部61の幅方向の横幅に対応した幅に形成され、搬送コンベヤ91の上部域に開閉するように下部側の図示しない揺動軸を支点として開放位置と閉鎖位置との間で揺動可能に配設されており、揺動軸を介して駆動する放出切換駆動部としてのソレノイド（図９に示すソレノイド217）によって搬送コンベヤ91の上部域を開閉する。そして、放出切換板97は、精査時および回収時には、搬送コンベヤ91の上部を開放して種類別硬貨収納投出部61から投出される硬貨を搬送コンベヤ91上に放出させ、また、入金返却時および出金時には、搬送コンベヤ91の上部域を閉鎖して種類別一時保留部74から返却される入金返却硬貨および種類別硬貨収納投出部61から投出される硬貨を搬送コンベヤ91の前方域へ放出させる。
【００３６】
搬送コンベヤ91の前方域には、放出切換板97で前方へ放出される硬貨を受け入れてカルトン挿入部16のカルトン17に放出させる放出シュート98が配設されている。放出シュート98にはカルトン挿入部16の上方に臨んで硬貨を放出する放出口99が形成されており、放出シュート98は全ての種類別硬貨収納投出部61から投出される硬貨を受け入れ可能とするとともに受け入れた硬貨を放出口99（図１ないし図４参照）に案内可能としている。
【００３７】
搬送コンベヤ91上の左端側は、放出シュート98の左側に略垂直に配置されるガイド板100によって閉塞されている。このガイド板100には、硬貨通路41のリジェクト硬貨分岐部50で分岐されるリジェクト硬貨を搬送コンベヤ91上に搬送するリジェクト硬貨搬送手段としてのリジェクトシュート101が開口する開口部102が形成されている。
【００３８】
また、図１および図４に示すように、搬送コンベヤ91の右端で機体11の右端域に沿って、搬送コンベヤ91で右端に搬送する硬貨を受け入れて前方へ搬送する搬送部106が配設されている。搬送コンベヤ91の右端には右端方向に搬送される硬貨を搬送部106の入口に導く図示しないガイドが配設され、搬送部106の入口には搬送コンベヤ91上から搬送部106上に硬貨が乗り移るための乗移り板107が配設されている。搬送部106は、前後のプーリ108間に搬送ベルト109を張設したベルトコンベヤにて構成され、図示しない搬送コンベヤ駆動手段によって機体11の前方向へ硬貨を搬送可能としている。なお、搬送ベルト109の上方に臨むベルト部位の下側には、図示していないが、搬送ベルト109を支えるベルト支持板が配設されているとともに、このベルト支持板の下側に搬送ベルト109上の硬貨の有無を検知する硬貨検知基板（硬貨検知基板72と同様の構成）が配設されている。
【００３９】
搬送部106の途中の硬貨貯留繰出部31側には、搬送コンベヤ91から搬送されてくる硬貨を硬貨貯留繰出部31に送って環流させるための環流搬送部111が配設されている。
【００４０】
搬送部106の前端には、搬送部106の前端から放出される硬貨を受け入れてカセット側に回収させるための回収搬送部としての回収シュート112が配設されている。
【００４１】
搬送部106には、精査時および回収時に搬送コンベヤ91から送られてくる硬貨を還流搬送部111側および回収シュート112側のいずれか一方に搬送切換する搬送切換部113が配設されている。この搬送切換部113は、搬送部106上に進退可能とする搬送切換板114を有し、搬送切換駆動部としてのソレノイド（図９に示すソレノイド216）により、この搬送切換板114が、搬送部106上に進出して搬送部106を搬送されてくる硬貨を硬貨貯留繰出部31に環流させる環流位置と、搬送部106上から退避させて搬送部106を搬送されてくる硬貨の下流方向の回収シュート112へ搬送させる回収位置とに移動する。
【００４２】
また、図２ないし図４に示すように、下部ユニット24にはカセット装着部120が配設され、このカセット装着部120に回収シュート112で導かれる回収硬貨を受収するカセット121が着脱可能に装着されている。カセット装着部120は、前面扉21を開放することによって露出され、カセット121の着脱可能を可能としている。
【００４３】
カセット121は、硬貨補充用および硬貨回収用として兼用できるように構成したもので、カセット本体122およびカセット口部123を有し、カセット口部123の一端側がヒンジ124を介してカセット本体122に開閉可能に取り付けられるとともに、カセット口部123の他端側が図示しない施錠手段によってカセット本体122に閉じた状態で施錠、解錠されるように構成されている。
【００４４】
カセット本体122の内部には硬貨を収納する収納空間125が形成され、カセット本体122の一端側には上端側が収納空間125の内方に傾斜する傾斜面126が形成されているとともにこの傾斜面126の外面に把手127が形成され、カセット本体122の他端側には上端側が収納空間125の内方に傾斜する傾斜部128が形成されている。
【００４５】
カセット口部123は、図２および図３に２点鎖線で示すように収納空間125が上側でかつカセット口129が下側となる姿勢で硬貨入金口枠32の硬貨入金口13に上方から密着状態に挿入可能とする外形状に形成され、カセット口部123の一端側にカセット本体122の収納空間125に連通するカセット口129が開口形成され、このカセット口129の他端側にカセット本体122の傾斜部128に連続する仕切部130が形成されている。カセット口129にはカセットシャッタ131が開閉可能に配設され、仕切部130の内側にカセットシャッタ131を開閉する図示しないカセットシャッタ開閉機構が配設されている。
【００４６】
そして、カセットシャッタ131は、カセット121が機体11側に対して未装着のときにカセットシャッタ開閉機構によって閉塞状態に保たれ、また、カセット121の収納空間125が上側でかつカセット口129が下側となる姿勢で硬貨入金口枠32の硬貨入金口13に挿入された状態で、その硬貨入金口13側に配設された図示しない硬貨入金口側開閉手段によって開放され、また、カセット121のカセット口129が上側でかつ収納空間125が下側となる姿勢でカセット装着部120に装着された状態で、そのカセット装着部120に配設された図示しないカセット装着部側開閉手段によって開放されるように構成されている。
【００４７】
次に、図９に循環式硬貨入出金装置12のブロック図を示し、制御部201には、左側操作部18、右側操作部19、識別部49、機内の各種のセンサ202が接続されて、それらから信号が入力される。さらに、制御部201には、硬貨貯留繰出部31の繰出ベルト35および逆転ローラ36の駆動用のモータ211、硬貨通路41の搬送ベルト46〜48の駆動用のモータ212、リジェクト硬貨分岐部50および種類別硬貨分岐部54（オーバーフロー用および５円硬貨用）の分岐駆動用の各ソレノイド213、種類別硬貨収納投出部61の収納投出ベルト63および逆転ローラ80の駆動用であって各種類別硬貨収納投出部61毎にそれぞれ設けられるモータ69、仕切部材73の仕切部材駆動手段としてのソレノイド214、搬送コンベヤ91および搬送部106の駆動用の各モータ215、搬送切換部113の搬送切換板114の切換駆動用のソレノイド216、放出切換手段96の放出切換板97の切換駆動用のソレノイド217が接続されて、それらの駆動が制御される。
【００４８】
また、制御部201には、左右のテラーによってそれぞれ操作される端末機221，222が接続されて操作可能としている。なお、端末機221，222が接続されない場合もあり、接続されない場合でも左側操作部18および右側操作部19で操作可能とする。
【００４９】
そして、制御部201は、硬貨の初期補充処理、自動精査なし入金処理、自動精査あり入金処理、出金処理、途中補充処理、単純計算処理、自動精査処理、収集処理などの機能を有している。
【００５０】
次に、本実施の形態の作用を説明する。
【００５１】
まず、図１０(a)〜(d)において、硬貨の初期補充処理について説明する。
【００５２】
テラーなどにより、補充硬貨を収納したカセット121を機体11の場所に運搬し、左側操作部18または右側操作部19やテラーの端末機221，222の操作により硬貨の初期補充処理を指令するとともに、カセット121の収納空間125が上側でかつカセット口129が下側となる姿勢でカセット口部123を硬貨入金口13に挿入することにより、補充処理を開始する。
【００５３】
補充処理を開始すると、硬貨入金口13の硬貨入金口シャッタ33を開放するとともに、カセット121のカセットシャッタ131を開放し、カセット121内の補充硬貨がカセット口129から硬貨入金口13を通じて硬貨貯留繰出部31に流出する。
【００５４】
図１０(a)に示すように、硬貨貯留繰出部31に流出した補充硬貨は、硬貨貯留繰出部31内から１枚ずつ硬貨通路41の第１通路域42に繰り出し、識別部49で真偽や金種などを識別する。
【００５５】
識別部49で正常と識別された補充硬貨は、硬貨通路41の第３通路域44に搬送し、該当金種の種類別硬貨分岐部54で分岐し、種類別硬貨収納投出部61の収納投出ベルト63上に送り込む。このとき、仕切部材73を開放していて種類別一時保留部74と硬貨収納部75とを連通しているとともに、全ての収納投出ベルト63を収納方向へ回動しており、収納投出ベルト63上に送り込まれた補充硬貨は、種類別硬貨分岐部54の下方位置から後方へ送って硬貨収納部75内にばら状態（山盛り状態）で収納する。
【００５６】
種類別硬貨収納投出部61のうち所定枚数の補充硬貨を収納して満杯となった金種が発生すると、それ以降、識別部49で識別されるオーバーフロー金種の補充硬貨は、第３通路域44の最上流に位置するオーバーフロー用の種類別硬貨分岐部54aで分岐し、オーバーフロー用の種類別硬貨収納投出部61aに収納する。このとき、オーバーフロー用の種類別硬貨収納投出部61aでは仕切部材73を備えていないので、収納投出ベルト63上に落下したオーバーフロー硬貨は、硬貨収納部75の後部側に送って一時保留する。
【００５７】
識別部49で異常と識別されたリジェクト硬貨は、硬貨通路41の第２通路域43のリジェクト硬貨分岐部50で分岐する。このとき、放出切換手段96の放出切換板97は搬送コンベヤ91の上部域を開放する開放位置にあり、リジェクト硬貨分岐部50で分岐したリジェクト硬貨は、リジェクトシュート101を通じて搬送コンベヤ91上に送り込んで一時保留する。なお、搬送コンベヤ91は、リジェクト硬貨が１枚ずつ送り込まれる都度、所定量ずつ右方へ動かし、後続のリジェクト硬貨の受け入れに備える。
【００５８】
そして、硬貨貯留繰出部31からの補充硬貨の繰り出しを完了するとともに、硬貨通路41上での補充硬貨の搬送を完了し、識別部49にて補充硬貨を所定時間検知しなくなった後、繰出動作および搬送動作を停止する。
【００５９】
このとき、搬送コンベヤ91にリジェクト硬貨を一時保留している場合には、図１０(b)(c)に示すように、リジェクト硬貨の再識別処理を開始する。すなわち、搬送コンベヤ91上のリジェクト硬貨は、搬送コンベヤ91にて右側へ向けて搬送して搬送部106に送り込み、この搬送部106で前方へ向けて搬送するとともにその搬送途中で搬送切換部113により環流搬送部111から硬貨貯留繰出部31に再投入する。全てのリジェクト硬貨を硬貨貯留繰出部31に送り込むと、硬貨貯留繰出部31内から１枚ずつ硬貨通路41に再び繰り出し、識別部49で再識別する。
【００６０】
再識別の結果、正常と識別された補充硬貨は、該当金種の種類別硬貨分岐部54で分岐して該当金種の種類別硬貨収納投出部61に収納するか、オーバーフロー用の種類別硬貨分岐部54aで分岐してオーバーフロー用の種類別硬貨収納投出部61aに収納する。
【００６１】
再識別の結果、異常と識別されたリジェクト硬貨は、リジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。このカルトン17に返却したリジェクト硬貨は、カルトン17をカルトン挿入部16から抜き外して取り出せる。
【００６２】
そして、全ての補充硬貨を硬貨貯留繰出部31に流出させたカセット121を硬貨入金口13から外し、機体11の前面扉21を開放してカセット装着部120に装着することにより、初期補充に使用したカセット121を回収用として使用できる。
【００６３】
また、オーバーフロー用の種類別硬貨収納投出部61aにオーバーフロー硬貨を収納している場合、カセット121をカセット装着部120に装着している状態で、図１０(d)に示すように、種類別硬貨収納投出部61a内のオーバーフロー硬貨を種類別硬貨収納投出部61a内から前方へ１枚ずつ投出する。このとき、放出切換手段96の放出切換板97は搬送コンベヤ91の上部域を開放する開放位置にあり、種類別硬貨収納投出部61a内から前方へ１枚ずつ投出したオーバーフロー硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで収納する。
【００６４】
なお、カセット121を使用せずに、金箱や袋により補充硬貨を硬貨入金口13に投入して補充することもできる。この場合、硬貨入金口13への補充硬貨の投入後に硬貨入金口シャッタ33を閉じてから補充処理を開始する。また、カセット121をカセット装着部120に装着しておく。
【００６５】
次に、図１１(a)〜(e)において、硬貨の入金処理で自動精査なしに設定されている場合について説明する。なお、このときもカセット121をカセット装着部120に装着しておく。
【００６６】
左右いずれかのテラーにより、機体11の左側操作部18または右側操作部19やテラーの端末機221，222で入金処理を指令すると、硬貨入金口13の硬貨入金口シャッタ33を開放する。テラーにより、入金硬貨を硬貨入金口13に投入し、機体11の左側操作部18または右側操作部19やテラーの端末機221，222で入金スタートを指令すると、硬貨入金口13の硬貨入金口シャッタ33を閉鎖し、入金処理を開始する。
【００６７】
図１１(a)に示すように、硬貨入金口13に投入された入金硬貨は、硬貨貯留繰出部31に受け入れて貯留し、この硬貨貯留繰出部31内から１枚ずつ硬貨通路41の第１通路域42に繰り出し、識別部49で真偽や金種などを識別する。
【００６８】
識別部49で正常と識別された入金硬貨は、硬貨通路41の第３通路域44に搬送し、該当金種の種類別硬貨分岐部54で分岐し、種類別硬貨収納投出部61の収納投出ベルト63上に送り込む。このとき、仕切部材73が仕切位置に移動していて種類別一時保留部74と硬貨収納部75とを仕切っているとともに、収納投出ベルト63は収納方向へ回動しており、収納投出ベルト63上に落下した入金硬貨は、種類別硬貨分岐部54の下方位置から種類別一時保留部74内の後方へ送ってばら状態で一時保留する。
【００６９】
識別部49で正常と識別された入金硬貨でも、種類別一時保留部74に所定枚数の硬貨を収納して満杯となった金種や、硬貨収納部75に所定枚数の硬貨を収納して満杯となっている金種については、オーバーフロー硬貨として処理し、第３通路域44の最上流に位置するオーバーフロー用の種類別硬貨分岐部54aで分岐し、オーバーフロー用の種類別硬貨収納投出部61aに一時保留する。このとき、オーバーフロー用の種類別硬貨収納投出部61aでは仕切部材73を備えていないので、収納投出ベルト63上に落下したオーバーフロー硬貨は、硬貨収納部75の後部側に送って一時保留する。
【００７０】
識別部49で異常と識別されたリジェクト硬貨は、硬貨通路41の第２通路域43のリジェクト硬貨分岐部50で分岐する。このとき、放出切換手段96の放出切換板97は搬送コンベヤ91の上部域を開放する開放位置にあり、リジェクト硬貨分岐部50で分岐したリジェクト硬貨は、リジェクトシュート101を通じて搬送コンベヤ91上に送り込んで一時保留する。
【００７１】
そして、硬貨貯留繰出部31からの入金硬貨の繰り出しが完了するとともに、硬貨通路41上での入金硬貨の搬送が完了し、識別部49にて入金硬貨を所定時間検知しなくなった後、繰出動作および搬送動作を停止する。
【００７２】
このとき、搬送コンベヤ91にリジェクト硬貨を一時保留している場合には、図１１(b)(c)に示すように、リジェクト硬貨の再識別処理を開始する。すなわち、搬送コンベヤ91上のリジェクト硬貨は、搬送コンベヤ91にて右側へ向けて搬送して搬送部106に送り込み、この搬送部106で前方へ向けて搬送するとともにその搬送途中で搬送切換部113により環流搬送部111から硬貨貯留繰出部31に再投入する。全てのリジェクト硬貨を硬貨貯留繰出部31に送り込むと、硬貨貯留繰出部31内から１枚ずつ硬貨通路41に再び繰り出し、識別部49で再識別する。
【００７３】
再識別の結果、正常と識別された入金硬貨は、該当金種の種類別硬貨分岐部54で分岐して該当金種の種類別一時保留部74に一時保留するか、オーバーフロー用の種類別硬貨分岐部54aで分岐してオーバーフロー用の種類別硬貨収納投出部61aに一時保留する。
【００７４】
再識別の結果、異常と識別されたリジェクト硬貨は、リジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。このカルトン17に返却したリジェクト硬貨は、カルトン17をカルトン挿入部16から抜き外して取り出せる。
【００７５】
そして、再識別を含む入金硬貨の一時保留を完了するとともに、再識別後のリジェクト硬貨の返却を完了した後、テラーの端末機221，222で入金硬貨の計数結果を表示し、テラーによる入金承認または入金不承認の指令に待機する。
【００７６】
テラーが入金承認を指令すると、図１１(d)に示すように、金種別の種類別硬貨収納投出部61の種類別一時保留部74に一時保留していた硬貨は、仕切部材73の開放と収納投出ベルト63の収納方向への回動とにより後方の硬貨収納部75に送ってばら状態で収納する。その後、仕切部材73を仕切位置に戻し、オーバーフロー硬貨が一時保留されている場合には、そのオーバーフロー硬貨の収納動作を開始する。すなわち、種類別硬貨収納投出部61a内のオーバーフロー硬貨を種類別硬貨収納投出部61a内から前方へ１枚ずつ投出する。このとき、放出切換手段96の放出切換板97は搬送コンベヤ91の上部域を開放する開放位置にあり、種類別硬貨収納投出部61a内から前方へ１枚ずつ投出したオーバーフロー硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで収納する。これら一時保留硬貨の収納により、入金処理が完了となる。なお、オーバーフロー用の種類別硬貨収納投出部61aからのオーバーフロー硬貨を投出する際、他の金種別の種類別硬貨収納投出部61の収納投出ベルト63は停止しており、仕切部材73が仕切位置に位置して硬貨収納部75内の硬貨の前方への移動を規制するので、それら金種別の収納硬貨を投出することはない。
【００７７】
また、テラーが入金不承認（返却）を指令すると、図１１(e)に示すように、金種別の種類別硬貨収納投出部61の種類別一時保留部74に一時保留していた硬貨、およびオーバーフロー用の種類別硬貨収納投出部61aに一時保留していた硬貨は、各種類別硬貨収納投出部61，61a内から前方へ１枚ずつ投出する。このとき、放出切換手段96の放出切換板97は搬送コンベヤ91の上部域を閉鎖した状態に移動しており、そのため、各種類別硬貨収納投出部61，61a内から前方へ投出した入金返却硬貨は、放出切換板97を通じて放出シュート98からカルトン挿入部16に予め挿入されているカルトン17に放出して返却する。このカルトン17に返却した入金返却硬貨は、カルトン17をカルトン挿入部16から抜き外して取り出せる。このように、入金返却硬貨を返却することで、入金処理を完了する。
【００７８】
次に、図１２(a)〜(f)において、硬貨の入金処理で自動精査ありに設定されている場合について説明する。
【００７９】
左右いずれかのテラーにより、機体11の左側操作部18または右側操作部19や、テラーの端末機221，222で入金処理を指令すると、硬貨入金口13の硬貨入金口シャッタ33を開放する。テラーにより、入金硬貨を硬貨入金口13に投入し、機体11の左側操作部18または右側操作部19やテラーの端末機221，222で入金スタートを指令すると、硬貨入金口13の硬貨入金口シャッタ33を閉鎖し、入金処理を開始する。
【００８０】
図１２(a)に示すように、硬貨入金口13に投入された入金硬貨は、硬貨貯留繰出部31に受け入れて貯留し、硬貨貯留繰出部31内から１枚ずつ硬貨通路41の第１通路域42に繰り出し、識別部49で真偽や金種などを識別する。
【００８１】
識別部49で正常と識別された入金硬貨は、硬貨通路41の第３通路域44に搬送し、該当金種の種類別硬貨分岐部54で分岐し、種類別硬貨収納投出部61の収納投出ベルト63上に送り込む。このとき、仕切部材73が仕切位置に移動していて種類別一時保留部74と硬貨収納部75とを仕切っているとともに、収納投出ベルト63は収納方向へ回動しており、収納投出ベルト63上に落下した入金硬貨は、種類別硬貨分岐部54の下方位置から種類別一時保留部74内の後方へ送ってばら状態で一時保留する。
【００８２】
識別部49で正常と識別された入金硬貨でも、種類別一時保留部74に所定枚数の硬貨が収納されて満杯となった金種や、硬貨収納部75に所定枚数の硬貨が収納されて満杯となっている金種については、オーバーフロー硬貨として処理し、第３通路域44の最上流に位置するオーバーフロー用の種類別硬貨分岐部54aで分岐し、オーバーフロー用の種類別硬貨収納投出部61aに一時保留する。このとき、オーバーフロー用の種類別硬貨収納投出部61aでは仕切部材73を備えていないので、収納投出ベルト63上に落下したオーバーフロー硬貨は、硬貨収納部75の後部側に送って一時保留する。
【００８３】
識別部49で異常と識別されたリジェクト硬貨は、硬貨通路41の第２通路域43のリジェクト硬貨分岐部50で分岐する。このとき、放出切換手段96の放出切換板97は搬送コンベヤ91の上部域を開放する開放位置にあり、リジェクト硬貨分岐部50で分岐したリジェクト硬貨は、リジェクトシュート101を通じて搬送コンベヤ91上に送り込んで一時保留する。
【００８４】
そして、硬貨貯留繰出部31からの入金硬貨の繰り出しを完了するとともに、硬貨通路41上での入金硬貨の搬送を完了し、識別部49にて入金硬貨を所定時間検知しなくなった後、繰出動作および搬送動作を停止する。
【００８５】
このとき、搬送コンベヤ91にリジェクト硬貨を一時保留している場合には、図１２(b)(c)に示すように、リジェクト硬貨の再識別処理を開始する。すなわち、搬送コンベヤ91上のリジェクト硬貨は、搬送コンベヤ91にて右側へ向けて搬送して搬送部106に送り込み、この搬送部106で前方へ向けて搬送するとともにその搬送途中で搬送切換部113により環流搬送部111から硬貨貯留繰出部31に再投入する。全てのリジェクト硬貨を硬貨貯留繰出部31に送り込むと、硬貨貯留繰出部31内から１枚ずつ硬貨通路41に再び繰り出し、識別部49で再識別する。
【００８６】
再識別の結果、正常と識別された入金硬貨は、該当金種の種類別硬貨分岐部54で分岐して該当金種の種類別一時保留部74に一時保留するか、オーバーフロー用の種類別硬貨分岐部54aで分岐してオーバーフロー用の種類別硬貨収納投出部61aに一時保留する。
【００８７】
再識別の結果、異常と識別されたリジェクト硬貨は、リジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。このカルトン17に返却したリジェクト硬貨は、カルトン17をカルトン挿入部16から抜き外して取り出せる。
【００８８】
そして、再識別を含む入金硬貨の一時保留を完了するとともに、再識別後のリジェクト硬貨の返却を完了した後、テラーの端末機221，222で入金硬貨の計数結果を表示し、テラーによる入金承認または入金不承認の指令に待機する。
【００８９】
テラーが入金承認を指令すると、図１２(d)に示すように、金種別の種類別硬貨収納投出部61の種類別一時保留部74に一時保留していた硬貨は、仕切部材73の開放と収納投出ベルト63の収納方向への回動とにより後方の硬貨収納部75に送ってばら状態で収納する。その後、仕切部材73を仕切位置に戻し、オーバーフロー硬貨が一時保留されている場合には、そのオーバーフロー硬貨の収納動作を開始する。すなわち、種類別硬貨収納投出部61a内のオーバーフロー硬貨を種類別硬貨収納投出部61a内から前方へ１枚ずつ投出する。このとき、放出切換手段96の放出切換板97は搬送コンベヤ91の上部域を開放する開放位置にあり、種類別硬貨収納投出部61a内から前方へ１枚ずつ投出したオーバーフロー硬貨は、搬送コンベヤ91上に放出し、この搬送コンベヤ91で右側へ向けて搬送して搬送部106に送り込み、この搬送部106で前方へ向けて搬送するとともにその搬送途中で搬送切換部113により環流搬送部111から硬貨貯留繰出部31に再投入する。なお、オーバーフロー用の種類別硬貨収納投出部61aからのオーバーフロー硬貨を投出する際、他の金種別の種類別硬貨収納投出部61の収納投出ベルト63も投出方向に回動するが、仕切部材73が仕切位置に位置して硬貨収納部75内の硬貨の前方への移動を規制するので、それら金種別の収納硬貨を投出することはない。
【００９０】
全てのオーバーフロー硬貨を硬貨貯留繰出部31に再投入した後、図１２(e)に示すように、オーバーフロー硬貨を硬貨貯留繰出部31内から１枚ずつ硬貨通路41に再び繰り出し、識別部49で再識別する。
【００９１】
オーバーフロー硬貨の再識別の結果、正常と識別された硬貨で上述の入金処理時に硬貨収納部75は満杯でなく種類別一時保留部74が満杯であった金種硬貨は、該当金種の種類別硬貨分岐部54で分岐して種類別硬貨収納投出部61の種類別一時保留部74に一時保留する。また、正常と識別されたそれ以外の入金硬貨はオーバーフロー用の種類別硬貨分岐部54aで分岐して種類別硬貨収納投出部61aに一時保留する。
【００９２】
オーバーフロー硬貨の再識別の結果、異常と識別されたリジェクト硬貨は、リジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。テラーがカルトン17をカルトン挿入部16から抜き外してカルトン17に返却したリジェクト硬貨を取り出し、リジェクト硬貨の異常を確認する。
【００９３】
全てのオーバーフロー硬貨の識別が完了するとともに、リジェクト硬貨があった場合の返却が完了した後、種類別一時保留部74に一時保留されていた硬貨は、仕切部材73の開放と収納投出ベルト63の収納方向への回動とにより後方の硬貨収納部75に送って収納する。その後、仕切部材73を仕切位置に戻し、オーバーフロー硬貨が一時保留されている場合には、そのオーバーフロー硬貨の収納動作を開始する。すなわち、種類別硬貨収納投出部61a内のオーバーフロー硬貨を種類別硬貨収納投出部61a内から前方へ１枚ずつ投出する。このとき、放出切換手段96の放出切換板97は搬送コンベヤ91の上部域を開放する開放位置にあり、種類別硬貨収納投出部61a内から前方へ１枚ずつ投出したオーバーフロー硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで収納する。
【００９４】
また、テラーが入金不承認（返却）を指令すると、図１２(f)に示すように、金種別の種類別硬貨収納投出部61の種類別一時保留部74に一時保留していた硬貨、およびオーバーフロー用の種類別硬貨収納投出部61aに一時保留していた硬貨は、種類別硬貨収納投出部61，61a内から前方へ１枚ずつ投出する。このとき、放出切換手段96の放出切換板97は搬送コンベヤ91の上部域を閉鎖した状態に移動しており、そのため、各種類別硬貨収納投出部61，61a内から前方へ投出した入金返却硬貨は、放出切換板97を通じて放出シュート98からカルトン挿入部16に予め挿入されているカルトン17に放出して返却する。このカルトン17に返却した入金返却硬貨は、カルトン17をカルトン挿入部16から抜き外して取り出せる。このように、入金返却硬貨を返却することで、入金処理を完了する。
【００９５】
次に、図１３において、硬貨の出金処理について説明する。
【００９６】
左右いずれかのテラーにより、端末機221，222で出金処理を指令するとともに出金金額や出金希望金種および枚数を入力すると、出金処理を開始する。
【００９７】
出金処理を開始すると、種類別硬貨収納投出部61の仕切部材73を開放し、収納投出ベルト63の投出方向への回動によって硬貨収納部75内の硬貨を前方へ移動させる。出金金種に該当する金種の出金硬貨は、収納投出ベルト63の投出方向への回動と逆転ローラ80の逆転とにより硬貨投出路81を通じて前方へ１枚ずつ投出する。このとき、放出切換手段96の放出切換板97は搬送コンベヤ91の上部域を閉鎖した状態に移動しており、そのため、各種類別硬貨収納投出部61内から前方へ投出した出金硬貨は、放出切換板97を通じて放出シュート98からカルトン挿入部16に予め挿入されているカルトン17に放出して出金する。
【００９８】
また、各種類別硬貨収納投出部61内から硬貨投出路81を通じて前方へ１枚ずつ投出する硬貨は、硬貨投出路81の２つのセンサ84，85により硬貨径を検知して金種を確認するとともに投出枚数をカウントする。種類別硬貨収納投出部61内に異金種硬貨が混入していて、その異金種硬貨が投出されようとした場合、センサ84，85により異金種硬貨を検知すると、ストッパ手段で異金種硬貨をストップさせ、端末機221，222などでテラーに対して異金種硬貨の取り出しを指示表示し、テラーによって硬貨を取り出すことにより、出金を再開する。
【００９９】
また、出金金種に該当しない金種の硬貨、出金金種に該当する金種でも所定の出金枚数を繰り出し終わった金種の硬貨は、硬貨投出路81のストッパ手段によって投出を規制する。そして、出金に必要な全ての硬貨を投出し終わった後、収納投出ベルト63の逆転と逆転ローラ80の停止により硬貨を硬貨収納部75へ戻し、出金処理を完了する。カルトン17に出金した出金硬貨は、カルトン17をカルトン挿入部16から抜き外して取り出せる。
【０１００】
次に、図１４(a)〜(d)において、例えば出金処理が連続したために種類別硬貨収納投出部61に収納される硬貨量が少なくなった場合での硬貨の途中補充処理について説明する。
【０１０１】
この途中補充においては、上述した初期補充と同様に、カセット121により、またはカセット121を使用せずに金箱や袋により、補充硬貨を硬貨入金口13に投入して補充することができる。なお、補充に使用したカセット121は補充後にカセット装着部120に装着し、また、補充に使用しない場合でもカセット121はカセット装着部120に装着しておく。
【０１０２】
図１４(a)に示すように、硬貨貯留繰出部31に投入した補充硬貨は、硬貨貯留繰出部31内から１枚ずつ硬貨通路41の第１通路域42に繰り出し、識別部49で真偽や金種などを識別する。
【０１０３】
識別部49で正常と識別された補充硬貨は、硬貨通路41の第３通路域44に搬送し、該当金種の種類別硬貨分岐部54で分岐し、種類別硬貨収納投出部61の収納投出ベルト63上に送り込む。このとき、仕切部材73を開放していて種類別一時保留部74と硬貨収納部75とを連通しているとともに、全ての収納投出ベルト63が収納方向へ回動しており、収納投出ベルト63上に送り込まれた補充硬貨は、種類別硬貨分岐部54の下方位置から種類別一時保留部74内の後方へ送ってばら状態で一時保留する。
【０１０４】
種類別硬貨収納投出部61のうち所定枚数の補充硬貨を収納して満杯となった金種が発生すると、それ以降、識別部49で識別するオーバーフロー金種の補充硬貨は、第３通路域44の最上流に位置するオーバーフロー用の種類別硬貨分岐部54aで分岐し、オーバーフロー用の種類別硬貨収納投出部61aに収納する。このとき、オーバーフロー用の種類別硬貨収納投出部61aでは仕切部材73を備えていないので、収納投出ベルト63上に落下したオーバーフロー硬貨は、硬貨収納部75の後部側に送って一時保留する。
【０１０５】
識別部49で異常と識別されたリジェクト硬貨は、硬貨通路41の第２通路域43のリジェクト硬貨分岐部50で分岐する。このとき、放出切換手段96の放出切換板97は搬送コンベヤ91の上部域を開放する開放位置にあり、リジェクト硬貨分岐部50で分岐したリジェクト硬貨は、リジェクトシュート101を通じて搬送コンベヤ91上に送り込んで一時保留する。なお、搬送コンベヤ91は、リジェクト硬貨が１枚ずつ送り込まれる都度、所定量ずつ右方へ動かし、後続のリジェクト硬貨の受け入れに備える。
【０１０６】
そして、硬貨貯留繰出部31からの補充硬貨の繰り出しが完了するとともに、硬貨通路41上での補充硬貨の搬送が完了し、識別部49にて補充硬貨を所定時間検知しなくなった後、繰出動作および搬送動作を停止する。
【０１０７】
このとき、搬送コンベヤ91にリジェクト硬貨が一時保留されている場合には、図１４(b)(c)に示すように、リジェクト硬貨の再識別処理を開始する。すなわち、搬送コンベヤ91上のリジェクト硬貨は、搬送コンベヤ91にて右側へ向けて搬送して搬送部106に送り込み、この搬送部106で前方へ向けて搬送するとともにその搬送途中で搬送切換部113により環流搬送部111から硬貨貯留繰出部31に再投入する。全てのリジェクト硬貨を硬貨貯留繰出部31に送り込むと、硬貨貯留繰出部31内から１枚ずつ硬貨通路41に再び繰り出し、識別部49で再識別する。
【０１０８】
再識別の結果、正常と識別された補充硬貨は、該当金種の種類別硬貨分岐部54で分岐して該当金種の種類別一時保留部74に一時保留するか、オーバーフロー用の種類別硬貨分岐部54aで分岐してオーバーフロー用の種類別硬貨収納投出部61aに収納する。
【０１０９】
再識別の結果、異常と識別されたリジェクト硬貨は、リジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。このカルトン17に返却したリジェクト硬貨は、カルトン17をカルトン挿入部16から抜き外して取り出せる。
【０１１０】
また、リジェクト硬貨がない場合やリジェクト硬貨の再識別した後、図１４(d)に示すように、金種別の種類別硬貨収納投出部61の種類別一時保留部74に一時保留していた硬貨は、仕切部材73の開放と収納投出ベルト63の収納方向への回動とにより後方の硬貨収納部75に送ってばら状態で収納する。その後、仕切部材73を仕切位置に戻し、オーバーフロー硬貨を一時保留している場合には、そのオーバーフロー硬貨の収納動作を開始する。つまり、オーバーフロー用の種類別硬貨収納投出部61aに一時保留していたオーバーフロー硬貨は、種類別硬貨収納投出部61a内から前方へ１枚ずつ投出する。このとき、放出切換手段96の放出切換板97は搬送コンベヤ91の上部域を開放する開放位置にあり、種類別硬貨収納投出部61a内から前方へ１枚ずつ投出したオーバーフロー硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで収納する。これら一時保留硬貨の収納により、補充処理を完了する。なお、オーバーフロー用の種類別硬貨収納投出部61aからオーバーフロー硬貨を投出する際、他の金種別の種類別硬貨収納投出部61の収納投出ベルト63は停止しており、仕切部材73が仕切位置に位置して硬貨収納部75内の硬貨の前方への移動を規制するので、それら金種別の収納硬貨が投出されることはない。
【０１１１】
次に、図１５(a)(b)において、硬貨の単純計数処理について説明する。
【０１１２】
左右いずれかのテラーにより、機体11の左側操作部18または右側操作部19やテラーの端末機221，222で単純計数処理を指令すると、硬貨入金口13の硬貨入金口シャッタ33を開放する。テラーにより、計数しようとする計数硬貨を硬貨入金口13に投入し、機体11の左側操作部18または右側操作部19やテラーの端末機221，222で計数スタートを指令すると、硬貨入金口13の硬貨入金口シャッタ33を閉鎖し、単純計数処理を開始する。
【０１１３】
図１５(a)に示すように、硬貨入金口13に投入された計数硬貨は、硬貨貯留繰出部31に受け入れて貯留し、硬貨貯留繰出部31内から１枚ずつ硬貨通路41の第１通路域42に繰り出し、識別部49で真偽や金種などを識別する。
【０１１４】
識別部49で正常と識別された補充硬貨は、硬貨通路41の第３通路域44に搬送し、第３通路域44の最上流に位置するオーバーフロー用の種類別硬貨分岐部54aで分岐し、オーバーフロー用の種類別硬貨収納投出部61aに一時保留する。
【０１１５】
識別部49で異常と識別されたリジェクト硬貨は、硬貨通路41の第２通路域43のリジェクト硬貨分岐部50で分岐する。このとき、放出切換手段96の放出切換板97は搬送コンベヤ91の上部域を閉鎖した状態に移動しており、そのため、リジェクト硬貨分岐部50で分岐したリジェクト硬貨は、リジェクトシュート101および放出切換板97を通じて放出シュート98からカルトン挿入部16に予め挿入されているカルトン17に放出して返却する。このカルトン17に返却したリジェクト硬貨は、カルトン17をカルトン挿入部16から抜き外して取り出せる。
【０１１６】
そして、硬貨貯留繰出部31からの計数硬貨の繰り出しを完了するとともに、硬貨通路41上での計数硬貨の搬送を完了し、識別部49にて計数硬貨を所定時間検知しなくなった後、繰出動作および搬送動作を停止し、計数結果をテラーの端末機221，222に表示する。
【０１１７】
テラーの端末機221，222で計数硬貨の返却を指令すると、図１５(b)に示すように、種類別硬貨収納投出部61a内の計数硬貨は、収納投出ベルト63の投出方向への回動と逆転ローラ80の逆転とにより種類別硬貨収納投出部61a内から前方へ１枚ずつ投出する。このとき、放出切換手段96の放出切換板97は搬送コンベヤ91の上部域を閉鎖した状態に移動しており、そのため、種類別硬貨収納投出部61a内から前方へ１枚ずつ投出する硬貨は、放出切換板97を通じて放出シュート98からカルトン挿入部16に予め挿入されているカルトン17に放出して返却する。このカルトン17に返却した計数硬貨は、カルトン17をカルトン挿入部16から抜き外して取り出せる。
【０１１８】
次に、図１６(a)(b)において、硬貨の自動精査処理について説明する。
【０１１９】
テラーにより、端末機221，222で自動精査処理を指令すると、各種類別硬貨収納投出部61内に収納している硬貨についての自動精査処理を開始する。
【０１２０】
まず、この自動精査処理では、一金種ずつ順番に処理をするもので、例えば、右側の５００円用の種類別硬貨収納投出部61から左側の５円用の種類別硬貨収納投出部61の順にする。そして、いずれかの金種の種類別硬貨収納投出部61内の硬貨を繰り出して空にした後、再びその種類別硬貨収納投出部61へ硬貨を収納するようにしている。
【０１２１】
図１６(a)に示すように、自動精査処理を開始すると、仕切部材73を開放し、収納投出ベルト63の投出方向への回動によって硬貨収納部75内の硬貨を前方へ移動させる。精査対象の５００円硬貨は、収納投出ベルト63の投出方向への回動と逆転ローラ80の逆転とにより硬貨投出路81を通じて前方へ１枚ずつ投出し、また、５００円硬貨以外の精査対象でない金種の硬貨は、硬貨投出路81のストッパ手段によって前方への投出を規制する。このとき、放出切換手段96の放出切換板97は搬送コンベヤ91の上部域を開放する開放位置にあり、種類別硬貨収納投出部61内から前方へ１枚ずつ投出した精査対象の５００円硬貨は、搬送コンベヤ91上に放出し、この搬送コンベヤ91で右側へ向けて搬送して搬送部106に送り込み、この搬送部106で前方へ向けて搬送するとともにその搬送途中で搬送切換部113により環流搬送部111から硬貨貯留繰出部31に投入する。
【０１２２】
精査対象の５００円硬貨が全て硬貨貯留繰出部31に投入した後、図１６(b)に示すように、硬貨を硬貨貯留繰出部31内から１枚ずつ硬貨通路41に繰り出し、識別部49で識別し、該当金種の種類別硬貨分岐部54で分岐し、元の種類別硬貨収納投出部61の収納投出ベルト63上に送り込む。このとき、仕切部材73を開放していて種類別一時保留部74と硬貨収納部75とを連通しているとともに、収納投出ベルト63を収納方向へ回動しており、収納投出ベルト63上に送り込んだ硬貨は種類別硬貨分岐部54の下方位置から後方へ送って硬貨収納部75内に収納する。
【０１２３】
こうして、１つの金種についての精査が完了したら、次の金種の精査を順次実行し、最後の金種（５円硬貨）の精査を完了することで、自動精査処理を完了する。
【０１２４】
次に、図１７(a)〜(c)において、硬貨の収集処理について説明する。
【０１２５】
まず、図１７(a)に自動収集処理を示し、ある金種の種類別硬貨収納投出部61に所定枚数の硬貨を収納して満杯になると、その金種の収集処理を制御部201により自動的に実行する。自動収集処理を開始すると、仕切部材73を開放し、収納投出ベルト63の投出方向への回動によって硬貨収納部75内の硬貨を前方へ移動させる。収集対象の金種硬貨は、収納投出ベルト63の投出方向への回動と逆転ローラ80の逆転とにより硬貨投出路81を通じて前方へ１枚ずつ投出し、また、収集対象でない金種の硬貨は、硬貨投出路81のストッパ手段によって前方への投出を規制する。このとき、放出切換手段96の放出切換板97は搬送コンベヤ91の上部域を開放する開放位置にあり、収集対象の種類別硬貨収納投出部61内から前方へ１枚ずつ投出した収集対象の金種硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで収納する。
【０１２６】
また、図１７(b)に途中収集処理を示し、テラーにより、機体11の左側操作部18または右側操作部19やテラーの端末機221，222で締上収集処理を指令するとともに、金種や枚数を入力すると、途中収集処理を開始する。途中収集処理を開始すると、仕切部材73を開放し、収納投出ベルト63の投出方向への回動によって硬貨収納部75内の硬貨を前方へ移動させる。前方へ移動する硬貨は、収納投出ベルト63の投出方向への回動と逆転ローラ80の逆転とにより前方へ１枚ずつ投出する。このとき、放出切換手段96の放出切換板97は搬送コンベヤ91の上部域を閉鎖した状態に移動しており、そのため、収集硬貨は、放出切換板97を通じて放出シュート98からカルトン挿入部16に予め挿入されているカルトン17に放出する。このカルトン17に放出した収集硬貨は、カルトン17をカルトン挿入部16から抜き外して取り出せる。
【０１２７】
また、図１７(c)に締上収集処理を示し、テラーにより、機体11の左側操作部18または右側操作部19やテラーの端末機221，222で締上収集処理を指令すると、全ての種類別硬貨収納投出部61内の硬貨を対象とする締上収集処理を開始する。締上収集処理を開始すると、仕切部材73を開放し、収納投出ベルト63の投出方向への回動によって硬貨収納部75内の硬貨を前方へ移動させる。前方へ移動する硬貨は、収納投出ベルト63の投出方向への回動と逆転ローラ80の逆転とにより前方へ１枚ずつ投出する。このとき、放出切換手段96の放出切換板97は搬送コンベヤ91の上部域を開放する開放位置にあり、締上収集対象の種類別硬貨収納投出部61内から前方へ１枚ずつ投出した締上収集対象の金種硬貨は、搬送コンベヤ91上に放出し、この搬送コンベヤ91で右側へ向けて搬送して搬送部106に送り込み、この搬送部106で前方へ向けて搬送するとともに回収シュート112を通じてカセット121に送り込んで回収収納する。
【０１２８】
そして、カセット121に硬貨が収集された場合には、前面扉21を解錠して開放し、カセット121を機体11内から取り出す。
【０１２９】
以上のように構成された循環式硬貨入出金装置12によれば、２人のテラー間に設置してどちらのテラーからでも容易に使用できるとともに高さが低く抑えられて小形にできる構成でありながら、機体11の前面の幅方向中央のカルトン挿入部16に挿入されたカルトン17に対して、入金返却硬貨や出金硬貨、さらには入金時や精査時のリジェクト硬貨を放出切換手段96の放出切換板97やリジェクトシュート101によって迅速に放出できるようにしたので、２人のテラーはカルトン17に放出されるこうした硬貨を迅速に受け取ることができる。
【０１３０】
種類別硬貨収納投出部61の収納投出ベルト63上に硬貨を一時保留可能とする保留空間を形成し、種類別硬貨収納投出部61に種類別一時保留部74の機能を持たせたので、これら種類別硬貨収納投出部61と種類別一時保留部74とを合せた高さを低くできる。
【０１３１】
なお、リジェクト硬貨搬送手段は、リジェクト硬貨分岐部で分岐されたリジェクト硬貨をカルトン挿入部のカルトンに直接搬送するようにしてもよい。
【図面の簡単な説明】
【０１３２】
【図１】本発明の一実施の形態を示す循環式硬貨入出金装置の平面図である。
【図２】同上循環式硬貨入出金装置の正面図である。
【図３】同上循環式硬貨入出金装置の側面図である。
【図４】同上循環式硬貨入出金装置の側面図である。
【図５】同上循環式硬貨入出金装置の種類別硬貨収納投出部の断面図である。
【図６】同上循環式硬貨入出金装置の種類別硬貨収納投出部の一部の平面図である。
【図７】同上循環式硬貨入出金装置のリジェクト硬貨分岐部、種類別硬貨収納投出部、搬送コンベヤ、放出切換手段などの斜視図である。
【図８】同上循環式硬貨入出金装置の斜視図である。
【図９】同上循環式硬貨入出金装置のブロック図である。
【図１０】同上循環式硬貨入出金装置の初期補充時の動作を(a)〜(d)に説明する説明図である。
【図１１】同上循環式硬貨入出金装置の自動精査なしに設定されている場合の入金処理時の動作を(a)〜(e)に説明する説明図である。
【図１２】同上循環式硬貨入出金装置の自動精査ありに設定されている場合の入金処理時の動作を(a)〜(f)に説明する説明図である。
【図１３】同上循環式硬貨入出金装置の出金時の説明図である。
【図１４】同上循環式硬貨入出金装置の途中補充時の動作を(a)〜(d)の順に説明する説明図である。
【図１５】同上循環式硬貨入出金装置の単純計数時の動作を(a)(b)の順に説明する説明図である。
【図１６】同上循環式硬貨入出金装置の自動精査時の動作を(a)(b)の順に説明する説明図である。
【図１７】同上循環式硬貨入出金装置の各種の収集時の動作を(a)〜(c)に説明する説明図である。
【符号の説明】
【０１３３】
11    機体
12    循環式硬貨入出金装置
16    カルトン挿入部
17    カルトン
31    硬貨貯留繰出部
41    硬貨通路
42    第１通路域
43    第２通路域
44    第３通路域
49    識別部
50    リジェクト硬貨分岐部
54    種類別硬貨分岐部
61    種類別硬貨収納投出部
63    ベルト部材としての収納投出ベルト
68    ベルト部材駆動手段
73    仕切部材
74    種類別一時保留部
80    ゲート部としての逆転ローラ
91    搬送コンベヤ
96    放出切換手段
101   リジェクト硬貨搬送手段としてのリジェクトシュート
111   還流搬送部
113   搬送切換部
121   カセット
214   仕切部材駆動手段としてのソレノイド
【図１】
2006065522.tif 000003
【図２】
2006065522.tif 000004
【図３】
2006065522.tif 000005
【図４】
2006065522.tif 000006
【図５】
2006065522.tif 000007
【図６】
2006065522.tif 000008
【図７】
2006065522.tif 000009
【図８】
2006065522.tif 000010
【図９】
2006065522.tif 000011
【図１０】
2006065522.tif 000012
【図１１】
2006065522.tif 000013
【図１２】
2006065522.tif 000014
【図１３】
2006065522.tif 000015
【図１４】
2006065522.tif 000016
【図１５】
2006065522.tif 000017
【図１６】
2006065522.tif 000018
【図１７】
2006065522.tif 000019